(57)【要約】      （修正有）【課題】高ズーム比でズーム全域にわたり良好な光学特性が容易に得られる小型のズームレンズを提供する。【解決手段】物体側から像側へ順に配置された、正の屈折力の第１レンズ群Ｌ１、負の屈折力の第２レンズ群Ｌ２、４つ以上のレンズ群を含む後群ＬＲを有し、ズーミングに際して、第１レンズ群Ｌ１は不動であり、開口絞りＳＰよりも像側に配置される２つ以上のレンズ群が移動し、隣り合うレンズ群の間隔が変化し、第１レンズ群Ｌ１は５枚以上のレンズを有し、第１レンズ群Ｌ１の最も物体側のレンズ面から最も像側のレンズ面までの光軸上での距離をＤＬ１、広角端におけるズームレンズの焦点距離をｆｗ、望遠端におけるズームレンズの焦点距離をｆｔとするとき、０．０５＜ＤＬ１／ｆｔ＜０．４０、２５．０＜ｆｔ／ｆｗ＜２００．０、なる条件式を満足することを特徴とする。【選択図】図１
2020134735.tif 000002
【特許請求の範囲】
【請求項１】
物体側から像側へ順に配置された、正の屈折力の第１レンズ群、負の屈折力の第２レンズ群、４つ以上のレンズ群を含む後群を有し、
ズーミングに際して、前記第１レンズ群は不動であり、開口絞りよりも像側に配置される２つ以上のレンズ群が移動し、隣り合うレンズ群の間隔が変化し、
前記第１レンズ群は５枚以上のレンズを有し、
前記第１レンズ群の最も物体側のレンズ面から最も像側のレンズ面までの光軸上での距離をＤＬ１、広角端における前記ズームレンズの焦点距離をｆｗ、望遠端における前記ズームレンズの焦点距離をｆｔとするとき、
０．０５＜ＤＬ１／ｆｔ＜０．４０
２５．０＜ｆｔ／ｆｗ＜２００．０
なる条件式を満足することを特徴とするズームレンズ。
【請求項２】
前記第１レンズ群の焦点距離をｆ１、前記第２レンズ群の焦点距離をｆ２とするとき、
−１０．０＜ｆ１／ｆ２＜−５．０
なる条件式を満足することを特徴とする請求項１に記載のズームレンズ。
【請求項３】
広角端におけるバックフォーカスをＢＦｗとするとき、
０．３＜ＢＦｗ／ｆｗ＜３．０
なる条件式を満足することを特徴とする請求項１又は２に記載のズームレンズ。
【請求項４】
最も物体側のレンズ面から像面までの光軸上での距離をＴＤとするとき、
０．３＜ＴＤ／ｆｔ＜１．４
なる条件式を満足することを特徴とする請求項１乃至３のいずれか１項に記載のズームレンズ。
【請求項５】
前記第２レンズ群の焦点距離をｆ２とするとき、
−５．０＜ｆ２／ｆｗ＜−１．０
なる条件式を満足することを特徴とする請求項１乃至４のいずれか１項に記載のズームレンズ。
【請求項６】
前記第１レンズ群の焦点距離をｆ１とするとき、
０．１＜ｆ１／ｆｔ＜１．０
なる条件式を満足することを特徴とする請求項１乃至５のいずれか１項に記載のズームレンズ。
【請求項７】
前記第１レンズ群は複数の正レンズを有し、該正レンズの材料のアッベ数の最小値をνｄ１ｍｉｎとするとき、
５５＜νｄ１ｍｉｎ
なる条件式を満足することを特徴とする請求項１乃至６のいずれか１項に記載のズームレンズ。
【請求項８】
前記第１レンズ群は３枚以上の正レンズを有することを特徴とする請求項１乃至７のいずれか１項に記載のズームレンズ。
【請求項９】
前記第２レンズ群は前記開口絞りよりも物体側に配置されていることを特徴とする請求項１乃至８のいずれか１項に記載のズームレンズ。
【請求項１０】
前記後群は、物体側から像側へ順に配置された、正の屈折力の第３レンズ群、負の屈折力の第４レンズ群、正の屈折力の第５レンズ群、負の屈折力の第６レンズ群、正の屈折力の第７レンズ群より構成されることを特徴とする請求項１乃至９のいずれか１項に記載のズームレンズ。
【請求項１１】
前記後群は、物体側から像側へ順に配置された、正の屈折力の第３レンズ群、正の屈折力の第４レンズ群、負の屈折力の第５レンズ群、正の屈折力の第６レンズ群より構成されることを特徴とする請求項１乃至９のいずれか１項に記載のズームレンズ。
【請求項１２】
請求項１乃至１１のいずれか１項に記載のズームレンズと、該ズームレンズによって形成された像を受光する撮像素子を有することを特徴とする撮像装置。
【請求項１３】
請求項１乃至１１のいずれか１項に記載のズームレンズと、ズーミングに際して前記ズームレンズを制御する制御部を有することを特徴とする撮像システム。
【請求項１４】
前記制御部は、前記ズームレンズとは別体として構成されており、前記ズームレンズを制御するための制御信号を送信する送信部を有することを特徴とする請求項１３に記載の撮像システム。
【請求項１５】
前記制御部は、前記ズームレンズとは別体として構成されており、前記ズームレンズを操作するための操作部を有することを特徴とする請求項１３又は１４に記載の撮像システム。
【請求項１６】
前記ズームレンズのズームに関する情報を表示する表示部を有することを特徴とする請求項１３乃至１５の何れか一項に記載の撮像システム。
【発明の詳細な説明】
【技術分野】
【０００１】
本発明はズームレンズ及びそれを有する撮像装置に関し、特にデジタルスチルカメラ、ビデオカメラ、監視用カメラ、放送用カメラ等の撮像装置に用いる撮像光学系として好適なものである。
【背景技術】
【０００２】
撮像装置に用いられるズームレンズは、小型かつ高ズーム比でありながら、ズーム全域にわたって良好な光学性能を有することが要求されている。このような要求を満足するズームレンズとして、最も物体側に正の屈折力の第１レンズ群を有するポジティブリード型のズームレンズが知られている。
【０００３】
特許文献１には、物体側から像側へ順に配置された正、負、正、正、正、正の屈折力の第１レンズ群乃至第６レンズ群よりなるズームレンズが開示されている。
【０００４】
特許文献２には、物体側から像側へ順に配置された正、負、正、正、負、負、正の屈折力の第１レンズ群乃至第７レンズ群よりなるズームレンズが開示されている。
【先行技術文献】
【特許文献】
【０００５】
【特許文献１】特開２０１４−１４２４５１号公報
【特許文献２】特開２０１５−２１２７２５号公報
【発明の概要】
【発明が解決しようとする課題】
【０００６】
近年、撮像装置として、例えば監視用カメラなどのパンチルト機構を備えるものや、人物特定などの画像認識技術を用いるものが採用されている。このような撮像装置においては、光学系の小型化及び高ズーム比化を維持しつつ、更なる高性能化が要求されている。
【０００７】
ポジティブリード型のズームレンズにおいて、ズームレンズの小型化及び高ズーム比化を図りつつ、ズーム全域にわたりより高い光学性能を得るには、ズームレンズを構成するレンズ群の数、及び各レンズ群のレンズ構成等を適切に設定することが重要になる。
【０００８】
本発明は、小型かつ高ズーム比でありながら、ズーム全域にわたり良好な光学特性を得ることができるズームレンズ、それを有する撮像装置及び撮像システムの提供を目的とする。
【課題を解決するための手段】
【０００９】
本発明のズームレンズは、物体側から像側へ順に配置された、正の屈折力の第１レンズ群、負の屈折力の第２レンズ群、４つ以上のレンズ群を含む後群を有し、ズーミングに際して、前記第１レンズ群は不動であり、開口絞りよりも像側に配置される２つ以上のレンズ群が移動し、隣り合うレンズ群の間隔が変化し、前記第１レンズ群は５枚以上のレンズを有し、前記第１レンズ群の最も物体側のレンズ面から最も像側のレンズ面までの光軸上での距離をＤＬ１、広角端における前記ズームレンズの焦点距離をｆｗ、望遠端における前記ズームレンズの焦点距離をｆｔとするとき、
０．０５＜ＤＬ１／ｆｔ＜０．４０
２５．０＜ｆｔ／ｆｗ＜２００．０
なる条件式を満足することを特徴としている。
【発明の効果】
【００１０】
本発明のよれば、高ズーム比でズーム全域にわたり良好な光学特性が容易に得られる小型のズームレンズが得られる。
【図面の簡単な説明】
【００１１】
【図１】実施例１のレンズ断面図
【図２】実施例１の諸収差図
【図３】実施例２のレンズ断面図
【図４】実施例２の諸収差図
【図５】実施例３のレンズ断面図
【図６】実施例３の諸収差図
【図７】実施例４のレンズ断面図
【図８】実施例４の諸収差図
【図９】実施例５のレンズ断面図
【図１０】実施例５の諸収差図
【図１１】実施例６のレンズ断面図
【図１２】実施例６諸収差図
【図１３】実施例７のレンズ断面図
【図１４】実施例７の諸収差図
【図１５】実施例８のレンズ断面図
【図１６】実施例８の諸収差図
【図１７】実施例９のレンズ断面
【図１８】実施例９の諸収差図
【図１９】本発明の撮像装置での実施例
【発明を実施するための形態】
【００１２】
本発明のズームレンズは、小型かつ高いズーム比でありながら、ズーム全域にわたって高い光学性能を有する。
【００１３】
本発明のズームレンズは、物体側から像側へ順に配置された、正の屈折力の第１レンズ群と、負の屈折力の第２レンズ群と、４つ以上のレンズ群を含む後群を有し、ズーミングに際して第１レンズ群は不動である。ズーミングに際して隣り合うレンズ群の間隔が変化する。ズームレンズは開口絞りと、開口絞りよりも像側にはズーミングに際して移動する２つ以上のレンズ群を有する。第１レンズ群は５枚以上のレンズを有し、ズーミングに際して不動である。
【００１４】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比３８．５０、Ｆナンバー１．６０〜５．２０のズームレンズである。
【００１５】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比３９．１０、Ｆナンバー１．６５〜４．９４のズームレンズである。
【００１６】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４５．００、Ｆナンバー１．６０〜５．２０のズームレンズである。
【００１７】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比３８．５０、Ｆナンバー１．６０〜５．２０のズームレンズである。
【００１８】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比４２．００、Ｆナンバー１．６０〜５．２０のズームレンズである。
【００１９】
図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比３８．５０、Ｆナンバー１．６０〜５．２０のズームレンズである。
【００２０】
図１３は本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比７０．００、Ｆナンバー２．００〜８．００のズームレンズである。
【００２１】
図１５は本発明の実施例８のズームレンズの広角端におけるレンズ断面図である。図１６（Ａ）、（Ｂ）、（Ｃ）はそれぞれ実施例８のズームレンズの広角端、中間のズーム位置、望遠端における収差図である。実施例８はズーム比３９．１０、Ｆナンバー１．６５〜４．９４のズームレンズである。
【００２２】
図１７は本発明の実施例９のズームレンズの広角端におけるレンズ断面図である。図１８（Ａ）、（Ｂ）、（Ｃ）はそれぞれ実施例９のズームレンズの広角端、中間のズーム位置、望遠端における収差図である。実施例９はズーム比３８．５０、Ｆナンバー１．６０〜５．２０のズームレンズである。
【００２３】
図１９（Ａ）、（Ｂ）は本発明の撮像装置の要部概略図である。
【００２４】
各実施例のズームレンズはビデオカメラ、デジタルカメラ、ＴＶカメラ、監視用カメラ等の撮像装置に用いられる撮像光学系である。レンズ断面図において、左方が被写体側（物体側）（前方）で、右方が像側（後方）である。レンズ断面図において、Ｌ０はズームレンズである。ｉは物体側からのレンズ群の順番を示し、Ｌｉは第ｉレンズ群である。ＬＲは複数のレンズ群を含む後群である。
【００２５】
レンズ断面図において、ＳＰは開口絞りであり、第２レンズ群Ｌ２の像側に配置している。レンズ断面図において、Ｐは光学フィルター、フェースプレート、水晶ローパスフィルター、赤外カットフィルター等に相当する光学素子である。Ｉは像面であり、ビデオカメラやデジタルスチルカメラの撮像光学系として使用する際にはＣＣＤセンサやＣＭＯＳセンサ等の撮像素子（光電変換素子）が置かれる。
【００２６】
矢印は広角端から望遠端へのズーミング（変倍）に際して、各レンズ群の移動軌跡を示す。フォーカスに関する矢印は無限遠から近距離へのフォーカシングの際のレンズ群の移動方向を示している。
【００２７】
球面収差図において、ＦｎｏはＦナンバーである。また、実線はｄ線（波長５８７．５６ｎｍ）、二点鎖線はｇ線（波長４３５．８４ｎｍ）、一点鎖線はＣ線（波長６５６．２７ｎｍ）、荒い点線はＦ線（波長４８６．１３ｎｍ）を示している。非点収差図において、実線はｄ線におけるサジタル像面、点線はメリディオナル像面である。歪曲収差はｄ線について示している。倍率色収差図についてはｄ線に対するｇ線、Ｃ線、Ｆ線の収差を示している。ωは撮像半画角である。
【００２８】
実施例１、３乃至７、９のレンズ断面図において、Ｌ１は正の屈折力の第１レンズ群、Ｌ２は負の屈折力の第２レンズ群、ＬＲは後群である。後群ＬＲは正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群より構成される。実施例１、３乃至７、９は７群ズームレンズである。ズーミングに際して第１レンズ群Ｌ１と第７レンズ群Ｌ７は不動である。
【００２９】
第５レンズ群Ｌ５を移動させて変倍に伴う像面変動を補正すると共に、フォーカシングを行っている。第５レンズ群Ｌ５に関する実線の曲線５ａと点線の曲線５ｂは、各々無限遠と近距離にフォーカスしているときの変倍に伴う像面変動を補正するための移動軌跡である。また、無限遠から近距離へフォーカスは、矢印５ｃに示す如く第５レンズ群Ｌ５を前方に（物体側へ）繰り出すことで行っている。
【００３０】
実施例２、８のレンズ断面図においてＬ１は正の屈折力の第１レンズ群、Ｌ２は負の屈折力の第２レンズ群、ＬＲは後群である。後群ＬＲは正の屈折力の第３レンズ群Ｌ３、正の屈折力の第４レンズ群Ｌ４、負の屈折力の第５レンズ群Ｌ５、正の屈折力の第６レンズ群Ｌ６より構成される。実施例２、８は６群ズームレンズである。実施例２、８ではズーミングに際して第１レンズ群Ｌ１と第６レンズ群Ｌ６は不動である。
【００３１】
実施例２、８では第５レンズ群Ｌ５を移動させて変倍に伴う像面変動を補正すると共に、フォーカシングを行っている。
【００３２】
第５レンズ群Ｌ５に関する実線の曲線５ａと点線の曲線５ｂは、各々無限遠と近距離にフォーカスしているときの変倍に伴う像面変動を補正するための移動軌跡である。また、無限遠から近距離へフォーカスは、矢印５Ｃに示す如く第５レンズ群Ｌ５を後方に繰り込むことで行っている。
【００３３】
各実施例では、物体側から像側へ順に配置された、正の屈折力の第１レンズ群と、負の屈折力の第２レンズ群と、４つ以上のレンズ群を含む後群を有し、ズーミングに際して隣り合うレンズ群の間隔が変化する。第１レンズ群Ｌ１は５枚以上のレンズを有し、開口絞りＳＰより像側にズーミングに際して移動する２つ以上のレンズ群を有する。ズーミングに際して第１レンズ群Ｌ１は不動であり、これにより各実施例のズームレンズは、ズームレンズが小型で高ズーム比を有しつつ、諸収差を良好に補正している。
【００３４】
また、望遠端において軸上マージナル光線の入射高さの高い第１レンズ群Ｌ１に、５枚以上のレンズを配することで、各レンズ面の曲率を緩めている。そして望遠側において球面収差やコマ収差の発生を軽減している。なお、ここでの５枚以上のレンズのうちの少なくとも一組は、互いに接合されていてもよい。すなわち、ｎ枚のレンズが互いに接合されて一つの接合レンズを構成している場合にも、レンズの枚数はｎ枚であるとする。
【００３５】
また、ズーミングに際しての収差変動を良好に補正するために、開口絞りＳＰより像側にズーミングに際して移動するレンズ群を２つ以上有している。一般に撮像光学系において軸外光線は開口絞り位置で光軸と交わるため、開口絞りの前後で光軸から離れる方向は逆転する。このため、開口絞りＳＰより像側の複数のレンズ群をズーミングに際して移動することで、特に広角側において球面収差や像面湾曲の補正を良好に行うことが容易となる。
【００３６】
また、もっとも外径の大きな第１レンズ群Ｌ１をズーミングに際して不動とすることで、駆動系の大型化を防止しつつ、小型な撮像装置を得ている。
【００３７】
各実施例において、第１レンズ群Ｌ１の最も物体側のレンズ面から最も像側のレンズ面までの光軸上の距離（光学全長）をＤＬ１とする。広角端におけるズームレンズＬ０の焦点距離をｆｗ、望遠端におけるズームレンズＬ０の焦点距離をｆｔとする。このとき、
０．０５＜ＤＬ１／ｆｔ＜０．４０  ・・・（１）
２５．０＜ｆｔ／ｆｗ＜２００．０  ・・・（２）
なる条件式を満足する。
【００３８】
条件式（１）、（２）を満足することにより、ズームレンズの小型化及び高ズーム比化を実現しつつ、ズーム全域にわたって高い光学性能を得ている。
【００３９】
次に前述の条件式（１）、（２）の技術的意味について説明する。
【００４０】
条件式（１）は、第１レンズ群Ｌ１の最も物体側のレンズ面から最も像側のレンズ面までの光軸上の距離（光学全長）と、望遠端の焦点距離との比を規定している。条件式（１）を満たすことで、ズームレンズの小型化と望遠側において球面収差、コマ収差等を良好に補正して、ズームレンズの小型化かつ良好な光学性能を得ている。
【００４１】
条件式（１）の上限値を越えると、光学全長と、望遠端の焦点距離との比が大きくなりすぎ、広角側において周辺像高に結像する光線が第１レンズ群Ｌ１中で光軸から離れた位置を通ることになる。すなわち第１レンズ群Ｌ１の有効径が増大してしまい、ズームレンズの小型化を達成するのが困難になる。また、条件式（１）の下限値を超えると、望遠端の焦点距離が長くなり、諸収差の補正を行うためにズームレンズが大型化してしまうため、好ましくない。
【００４２】
条件式（２）は、ズームレンズのズーム比を規定している。条件式（２）を満たすことで、ズームレンズの小型化及び高ズーム比化の実現を容易にしている。条件式（２）の下限値を超えると、ズーム比が小さくなりすぎ、高ズーム比化が困難となる。また、条件式（２）の上限値を超えると、各レンズ群の屈折力が過剰に強まることで、球面収差やコマ収差等の諸収差が増加してしまうため好ましくない。
【００４３】
なお、各実施例において、好ましくは条件式（１）、（２）の数値範囲を次のようにするのがよい。
【００４４】
０．０６＜ＤＬ１／ｆｔ＜０．２０      ・・・（１ａ）
３０．０＜ｆｔ／ｆｗ＜１００．０      ・・・（２ａ）
各実施例において、さらに好ましくは条件式（１ａ）、（２ａ）の数値範囲を次のようにするのがよい。
【００４５】
０．０７＜ＤＬ１／ｆｔ＜０．１５      ・・・（１ｂ）
３５．０＜ｆｔ／ｆｗ＜８０．０        ・・・（２ｂ）
各実施例において好ましくは次の条件式のうち１つ以上を満足するのが良い。
【００４６】
第１レンズ群Ｌ１の焦点距離をｆ１、第２レンズ群Ｌ２の焦点距離をｆ２とする。広角端におけるバックフォーカスをＢＦｗとする。最も物体側のレンズ面から像面までの光軸上の距離（レンズ全長）をＴＤとする。第１レンズ群Ｌ１は複数の正レンズを有し、第１レンズ群Ｌ１に含まれる正レンズの材料のアッベ数の最小値をνｄ１ｍｉｎとする。
【００４７】
このとき次の条件式のうち１つ以上を満足するのが良い。
【００４８】
−１０．０＜ｆ１／ｆ２＜−５．０      ・・・（３）
０．３＜ＢＦｗ／ｆｗ＜３．０          ・・・（４）
０．３＜ＴＤ／ｆｔ＜１．４            ・・・（５）
−５．０＜ｆ２／ｆｗ＜−１．０        ・・・（６）
０．１＜ｆ１／ｆｔ＜１．０            ・・・（７）
５５＜νｄ１ｍｉｎ                      ・・・（８）
次に前述の条件式の技術的意味について説明する。
【００４９】
条件式（３）は、第１レンズ群Ｌ１の焦点距離と第２レンズ群Ｌ２の焦点距離の比を規定している。条件式（３）の上限値を超えると、第１レンズ群Ｌ１の正の屈折力が過剰に強まることで、特に望遠側において球面収差やコマ収差等の諸収差が増加してしまうため好ましくない。また、第２レンズ群Ｌ２の屈折力が過剰に弱まり（負の屈折力の絶対値が小さくなり）、高ズーム化のために第２レンズ群Ｌ２のズーミングに際して移動量が増加してしまい、ズームレンズが大型化するため好ましくない。
【００５０】
条件式（３）の下限値を超えると、第２レンズ群Ｌ２の負の屈折力が過剰に強まる（負の屈折力の絶対値が大きくなる）ため、ズーミングの際の像面湾曲の変動やコマ収差の変動が大きくなるため好ましくない。
【００５１】
条件式（４）はバックフォーカスと広角端におけるズームレンズの焦点距離の比を規定している。ここで、バックフォーカスとは、レンズ最終面から近軸像面までの距離を空気換算長により表したものである。
【００５２】
条件式（４）の上限値を超えると、バックフォーカスが長くなりすぎて、ズームレンズが大型化するため好ましくない。条件式（４）の下限値を超えると、バックフォーカスが短くなりすぎて、ローパスフィルターや赤外カットフィルター等の光学素子を搭載するためのスペースが足りなくなるため好ましくない。
【００５３】
条件式（５）はレンズ全長と望遠端におけるズームレンズの焦点距離の比を規定している。条件式（５）の上限値を超えると、レンズ全長が長くなりすぎて、ズームレンズが大型化するため好ましくない。条件式（５）の下限値を超えると、レンズ全長が過剰に短くなり、各レンズ群の屈折力が過剰に強まることで球面収差やコマ収差等の諸収差が増加してしまうため好ましくない。
【００５４】
条件式（６）は第２レンズ群Ｌ２の焦点距離と広角端におけるズームレンズの焦点距離の比を規定している。条件式（６）の下限値を超えると、第２レンズ群Ｌ２の負の屈折力が弱くなり、高ズーム比化のために第２レンズ群Ｌ２の移動量を過剰に大きくする必要があるため、ズームレンズが大型化してしまい好ましくない。条件式（６）の上限値を超えて、第２レンズ群Ｌ２の負の屈折力が強くなると、ズーミングの際に像面湾曲の変動やコマ収差の変動が大きくなるため好ましくない。
【００５５】
条件式（７）は、第１レンズ群Ｌ１の焦点距離と望遠端におけるズームレンズの焦点距離の比を規定している。条件式（７）の上限値を超えると、第１レンズ群Ｌ１の正の屈折力が弱くなり、高ズーム比化のためにズーミングに際して移動するレンズ群の移動量を大きくする必要があるため、ズームレンズが大型化し好ましくない。条件式（７）の下限値を超えると、第１レンズ群Ｌ１の正の屈折力が強くなり、望遠端において球面収差が増加してしまうため好ましくない。
【００５６】
条件式（８）は、第１レンズ群Ｌ１に含まれる正レンズの材料の中で、アッベ数か最小のアッベ数を規定している。条件式（８）を満足することで、望遠側において色収差を抑制することが容易となる。近年では監視カメラにおいて、近赤外照明を夜間照明とする製品が増加しており、可視領域から近赤外領域の色収差の補正が求められている。可視領域から近赤外領域の色収差を補正することで、日中のみならず夜間の監視にも好適なズームレンズとすることが可容易なる。
【００５７】
条件式（８）の下限値を超えると、正レンズの材料が高分散化し、望遠側において軸上色収差や倍率色収差が増加してしまうため好ましくない。また、色収差を補正しようとすると各レンズの屈折力を強くする必要があり、望遠側において球面収差やコマ収差が増加してしまうため好ましくない。
【００５８】
各実施例において、好ましくは条件式（３）乃至（８）の数値範囲を次のようにするのがよい。
【００５９】
−９．０＜ｆ１／ｆ２＜−５．５    ・・・（３ａ）
０．６＜ＢＦ／ｆｗ＜２．０        ・・・（４ａ）
０．４＜ＴＤ／ｆｔ＜１．２        ・・・（５ａ）
−４．０＜ｆ２／ｆｗ＜−１．４    ・・・（６ａ）
０．１５＜ｆ１／ｆｔ＜０．７      ・・・（７ａ）
６７＜νｄ１ｍｉｎ                  ・・・（８ａ）
各実施例において、さらに好ましくは条件式（３ａ）乃至（８ａ）の数値範囲を次のようにするのがよい。
【００６０】
−８．０＜ｆ１／ｆ２＜−６．０    ・・・（３ｂ）
０．９＜ＢＦ／ｆｗ＜１．５        ・・・（４ｂ）
０．５＜ＴＤ／ｆｔ＜１．０        ・・・（５ｂ）
−３．０＜ｆ２／ｆｗ＜−１．８    ・・・（６ｂ）
０．２＜ｆ１／ｆｔ＜  ０．５      ・・・（７ｂ）
７９＜νｄ１ｍｉｎ                  ・・・（８ｂ）
各実施例においてフォーカシングに関しては、後群ＬＲのうち少なくとも１つのレンズ群が光軸上を移動することで行うのが良い。各実施例において、フォーカシングは１つのレンズ群ではなく、複数のレンズ群を光軸上に移動させて行ってもよい。
【００６１】
各実施例において、第１レンズ群Ｌ１に含まれる正レンズは３枚以上であることが好ましい。これにより、正の焦点距離を有する第１レンズ群Ｌ１で強い正の屈折力の（パワー）を持つことになる正レンズの曲率を緩めて、特に望遠側において球面収差やコマ収差を軽減することを容易にしている。
【００６２】
開口絞りＳＰは第２レンズ群Ｌ２より像側に配置することが好ましい。主変倍レンズ群となるため強い負の屈折力をもつ第２レンズ群Ｌ２より像側に配置することで、後群ＬＲの有効径の増大を抑制してズームレンズの小型化と軽量化を達成することを容易にしている。
【００６３】
各実施例において、開口絞りＳＰの開口径はズーミングに際して一定とすることも、変化させても良い。開口絞りＳＰの径を変化させることで、望遠端において大きく発生する軸外光束による下線コマフレアをカットすることができ、より良好な光学性能を得ることができる。
【００６４】
各実施例では、以上のように各要素を構成することにより、ズームレンズの小型化、高ズーム化を図りつつ、ズーム全域にわたって高い光学性能を得ている。
【００６５】
また、以上の条件式を任意に複数組み合わせることにより、さらに本発明の効果を高めることができる。
【００６６】
次に各実施例のレンズ群のレンズ構成について説明する。各レンズは特に断りがない限り、物体側から像側へ順に配置されているものとする。
［実施例１］
第１レンズ群Ｌ１は、負レンズと正レンズが接合された接合レンズ、正レンズと負レンズが接合された接合レンズ、正レンズより構成しており、ズーミングに際して不動である。５つのレンズを有することで、特に望遠側において球面収差やコマ収差を良好に補正している。また、接合レンズを有することで、特に望遠端において軸上色収差を良好に補正している。
【００６７】
第２レンズ群Ｌ２は、負レンズ、負レンズと正レンズが接合された接合レンズ、負レンズで構成しており、ズーミングに際して移動する。
【００６８】
第３レンズ群Ｌ３は、正レンズで構成しており、ズーミングに際して不動である。
【００６９】
第４レンズ群Ｌ４は、負レンズで構成しており、ズーミングに際して移動する。
【００７０】
第５レンズ群Ｌ５は、正レンズと負レンズが接合された接合レンズで構成されており、ズーミングに際して移動して、コンペンセータとフォーカスの役割を担っている。１つの接合レンズを有することで、フォーカシングにし際して倍率色収差の変動を抑制し、また軽量化によりフォーカシング時の制御を容易にしている。
【００７１】
第６レンズ群Ｌ６は、負レンズで構成しており、ズーミングに際して移動する。
【００７２】
第７レンズ群Ｌ７は、正レンズで構成しており、ズーミングに際して不動である。
【００７３】
最終レンズ群を正の屈折力のレンズ群とすることで、テレセントリック性を高くし、軸外光束が撮像素子へ垂直に近い角度で入射するようにして、シェーディングによる画面周辺の光量落ちを抑制している。
【００７４】
開口絞りＳＰは第２レンズ群Ｌ２と第３レンズ群Ｌ３の間に備えており、ズーミングに際して不動である。
［実施例２］
第１レンズ群Ｌ１のレンズ構成は、実施例１と同様である。
【００７５】
第２レンズ群Ｌ２は、３枚の負レンズ、正レンズで構成しており、ズーミングに際して移動する。
【００７６】
第３レンズ群Ｌ３は、２枚の正レンズ、負レンズと正レンズが接合された接合レンズで構成しており、ズーミングに際して移動する。
【００７７】
第４レンズ群Ｌ４は、正レンズと負レンズが接合された接合レンズで構成しており、ズーミングに際して移動する。
【００７８】
第５レンズ群Ｌ５は、正レンズと負レンズが接合された接合レンズで構成しており、ズーミングに際して移動してコンペンセータとフォーカスの役割を担っている。
【００７９】
第６レンズ群Ｌ６は、正レンズと負レンズが接合された接合レンズで構成しており、ズーミングに際して不動である。
【００８０】
開口絞りＳＰは第２レンズ群Ｌ２と第３レンズ群Ｌ３の間に備えており、ズーミングに際して不動である。
［実施例３］
第１レンズ群Ｌ１は、負レンズと正レンズが接合された接合レンズ、３枚の正レンズで構成しており、ズーミングに際して不動である。
【００８１】
第２レンズ群Ｌ２のレンズ構成は、実施例１と同様である。
【００８２】
第３レンズ群Ｌ３は、正レンズで構成しており、物体側に開口絞りＳＰを備え、ズーミングに際して、開口絞りＳＰとともに（同一の軌跡で）移動する。
【００８３】
第４レンズ群Ｌ４、第５レンズ群Ｌ５、第６レンズ群Ｌ６、第７レンズ群Ｌ７のレンズ構成は、実施例１と同様である。
［実施例４］
第１レンズ群Ｌ１は、負レンズと正レンズが接合された接合レンズ、負レンズと正レンズが接合された接合レンズ、正レンズで構成しており、ズーミングに際して不動である。
【００８４】
第２レンズ群Ｌ２、第３レンズ群Ｌ３、第４レンズ群Ｌ４、第５レンズ群Ｌ５、第６レンズ群Ｌ６、第７レンズ群Ｌ７のレンズ構成は、実施例１と同様である。
【００８５】
開口絞りＳＰは第２レンズ群Ｌ２と第３レンズ群Ｌ３の間に備えており、ズーミングに際して不動である。
［実施例５］
第１レンズ群Ｌ１は、負レンズと正レンズが接合された接合レンズ、正レンズと負レンズが接合された接合レンズと、２枚の正レンズで構成しており、ズーミングに際して不動である。
【００８６】
第２レンズ群Ｌ２、第３レンズ群Ｌ３、第４レンズ群Ｌ４、第５レンズ群Ｌ５、第６レンズ群Ｌ６、第７レンズ群Ｌ７のレンズ構成は、実施例１と同様である。
【００８７】
開口絞りＳＰは第２レンズ群Ｌ２と第３レンズ群Ｌ３の間に備えており、ズーミングに際して不動である。
［実施例６］
第１レンズ群Ｌ１のレンズ構成は、実施例３と同様である。
【００８８】
第２レンズ群Ｌ２、第３レンズ群Ｌ３、第４レンズ群Ｌ４、第５レンズ群Ｌ５、第６レンズ群Ｌ６、第７レンズ群Ｌ７のレンズ構成は、実施例１と同様である。
【００８９】
開口絞りＳＰは第２レンズ群Ｌ２と第３レンズ群Ｌ３の間に備えており、ズーミングに際して不動である。
［実施例７］
第１レンズ群Ｌ１、第２レンズ群Ｌ２、第３レンズ群Ｌ３、第４レンズ群Ｌ４、第５レンズ群Ｌ５、第６レンズ群Ｌ６、第７レンズ群Ｌ７のレンズ構成は、実施例１と同様である。
【００９０】
開口絞りＳＰは第２レンズ群Ｌ２と第３レンズ群Ｌ３の間に備えており、ズーミングに際して不動である。
［実施例８］
第１レンズ群Ｌ１のレンズ構成は、実施例１と同様である。
【００９１】
第２レンズ群Ｌ２のレンズ構成は、実施例２と同様である。
【００９２】
第３レンズ群Ｌ３は、正レンズと負レンズが接合された接合レンズで構成しており、ズーミングに際して不動である。
【００９３】
第４レンズ群Ｌ４は、２枚の正レンズ、負レンズと正レンズが接合された接合レンズ、正レンズと負レンズが接合された接合レンズで構成しており、ズーミングに際して移動する。
【００９４】
第５レンズ群Ｌ５、第６レンズ群Ｌ６のレンズ構成は、実施例２と同様である。
【００９５】
開口絞りＳＰは第３レンズ群Ｌ３と第４レンズ群Ｌ４の間に備えており、ズーミングに際して不動である。
［実施例９］
第１レンズ群Ｌ１乃至第７レンズ群Ｌ７のレンズ構成は、実施例１と同様である。
【００９６】
開口絞りＳＰは第２レンズ群Ｌ２と第３レンズ群Ｌ３の間に備えており、ズーミングに際して不動である。
【００９７】
次に、本発明のズームレンズを撮像光学系として用いた撮像装置の実施例を、図１９を用いて説明する。
【００９８】
図１９（Ａ）において、１０は監視カメラ本体、１１は実施例１乃至９で説明したいずれかのズームレンズによって構成された撮像光学系である。１２はカメラ本体に内蔵され、撮像光学系１１によって形成された被写体像を受光するＣＣＤセンサやＣＭＯＳセンサ等の撮像素子（光電変換素子）である。１３は撮像素子１２によって光電変換された被写体像に対応する情報を記録するメモリである。１４は撮像素子１２によって光電変換された被写体像を転送するためのネットワークケーブルである。
【００９９】
図１９（Ｂ）はカメラ本体１０にドーム状のカバー１５を挿着して天井に取付けて使用したときの例である。撮像装置としては監視カメラに限定されることはなく、ビデオカメラやデジタルカメラ等においても用いることができる。
【０１００】
本発明の撮像装置は、上記のいずれかのズームレンズとともに、歪曲収差と倍率色収差のどちらか、もしくは両方を電気的に補正する回路を有していても良い。
【０１０１】
このようにズームレンズの歪曲収差等を許容することができる構成にすれば、ズームレンズ全体のレンズ枚数を少なくでき、小型化が容易になる。また倍率色収差を電気的に補正することにより、撮影した画像の色にじみを軽減し、解像力の向上を図ることが容易になる。
【０１０２】
以上、本発明の好ましい実施形態について説明したが、本発明はこれらの実施形態に限定されず、その要旨の範囲内で種々の変形及び変更が可能である。
例えば各実施例のズームレンズと、ズームレンズを制御する制御部とを含めた撮像システム（監視システム）を構成してもよい。この場合、制御部は、ズーミングやフォーカシング、像ブレ補正に際して各レンズ群が上述したように移動するようズームレンズを制御することができる。このとき、制御部がズームレンズと一体的に構成されている必要はなく、制御部をズームレンズとは別体として構成してもよい。
【０１０３】
例えば、ズームレンズの各レンズを駆動する駆動部に対して遠方に配置された制御部（制御装置）が、ズームレンズを制御するための制御信号（命令）を送る送信部を備える構成を採用してもよい。このような制御部によれば、ズームレンズを遠隔操作することができる。また、ズームレンズを遠隔操作するためのコントローラーやボタンなどの操作部を制御部に設けることで、ユーザーの操作部への入力に応じてズームレンズを制御する構成を採ってもよい。
【０１０４】
例えば、操作部として拡大ボタン及び縮小ボタンを設け、ユーザーが拡大ボタンを押したらズームレンズの倍率が大きくなり、ユーザーが縮小ボタンを押したらズームレンズの倍率が小さくなるようにする。例えば、制御部からズームレンズの駆動部に信号が送られるように構成すればよい。  また、撮像システムは、ズームレンズのズームに関する情報（移動状態）を表示する液晶パネルなどの表示部を有していてもよい。ズームレンズのズームに関する情報とは、例えばズーム倍率（ズーム状態）や各レンズ群の移動量（移動状態）である。この場合、表示部に示されるズームレンズのズームに関する情報を見ながら、操作部を介してユーザーがズームレンズを遠隔操作することができる。このとき、例えばタッチパネルなどを採用することで表示部と操作部とを一体化してもよい。
【０１０５】
次に本発明の実施例１乃至９にそれぞれ対応する数値実施例１乃至９を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。ＢＦ（バックフォーカス）はフィルターを除いたレンズ最終面から近軸像面までの距離を空気換算長により表したものである。＊は非球面を意味する。
【０１０６】
ここで、本発明の各請求項や各実施例で用いている光学材料のアッベ数は次の通りである。
【０１０７】
フラウンフォーファ線のＦ線（４８６．１ｎｍ）、ｄ線（５８７．６ｎｍ）、Ｃ線（６５６．３ｎｍ）に対する屈折率をそれぞれｎＦ、ｎｄ、ｎＣとする。アッベ数νｄは、以下の式の通りに与えられる。
【０１０８】
νｄ＝（ｎｄ−１）／（ｎＦ−ｎＣ）
またｋを離心率、Ａ４、Ａ６、Ａ８、Ａ１０、Ａ１２を非球面係数、面頂点を基準にして光軸からの高さｈの位置における光軸方向の変位をｘとするとき、非球面形状は、
ｘ＝（ｈ２／Ｒ）／［１＋｛１−（１＋ｋ）（ｈ／Ｒ）２｝１／２］＋Ａ４ｈ４＋Ａ６ｈ６＋Ａ８ｈ８＋Ａ１０ｈ１０＋Ａ１２ｈ１２
で表される。但しＲは近軸曲率半径である。
【０１０９】
また、各実施例における第ｎレンズ群の移動軌跡は以下の式で表しており、前述のズーム中間におけるレンズ配置は、数値実施例１〜９において中間と記載している。
【０１１０】
なお、式中におけるｍ２は、主変倍群である第２レンズ群の広角端からの移動量を、広角端から望遠端までの移動量で規格化した値であり、広角端で０、望遠端で１となる。ｍｎは第ｎレンズ群の広角端からの移動量である。Ｂｎｋは第ｎレンズのｋ次の移動量係数である。
【０１１１】
ｍｎ＝Σ（Ｂｎｋ×ｍｎｋ）
＝Ｂｎ１・ｍ２＋Ｂｎ２・ｍ２２＋Ｂｎ３・ｍ２３＋Ｂｎ４・ｍ２４
＋Ｂｎ５・ｍ２５＋Ｂｎ６・ｍ２６＋Ｂｎ７・ｍ２７＋Ｂｎ８・ｍ２８
＋Ｂｎ９・ｍ２９＋Ｂｎ１０・ｍ２１０
各数値実施例における上述した条件式との対応を表１に示す。
【０１１２】
（数値実施例１）
単位  ｍｍ
面データ
面番号       r        d      nd         vd
1        135.440    1.50   1.80400    46.5           
2         41.572    5.34   1.49700    81.5           
3       -417.011    0.15                             
4        162.239    4.07   1.49700    81.5           
5        -62.757    1.25   1.69680    55.5           
6       -219.940    0.15                             
7         42.032    4.81   1.49700    81.5           
8       -363.361  (可変)                             
9        -90.232    0.60   2.00100    29.1           
10         12.377    4.86                             
11        -15.200    0.50   1.91082    35.3           
12        -49.301    3.59   1.95906    17.5           
13        -13.312    0.15                             
14*       -27.315    0.50   1.85135    40.1           
15       -270.531  (可変)                             
16(絞り)    ∞       0.50                             
17*        15.648    5.21   1.61881    63.9           
18*       -94.254  (可変)                             
19         28.417    0.70   2.00100    29.1           
20         13.447  (可変)                             
21*        12.154    4.51   1.49710    81.6           
22        -14.442    0.70   2.00100    29.1           
23        -19.358  (可変)                             
24         58.558    0.50   1.82080    42.7           
25*        11.571  (可変)                             
26        -19.935    1.55   1.53110    55.9           
27*        -6.240    0.67                             
28          ∞       0.80   1.51633    64.1           
29          ∞     3.28                             
像面        ∞   
非球面データ
第14面
K = 1.43437e+000  A 4= 6.66427e-006  A 6= 3.35319e-007  A 8=-9.44873e-009  A10= 8.56172e-011  
第17面
K = 8.84661e-001  A 4=-5.67657e-005  A 6=-7.26367e-007  A 8= 5.45842e-009  A10=-4.29017e-011  A12=-7.80384e-014  
第18面
K = 5.52561e+001  A 4= 6.98422e-006  A 6=-7.55519e-007  A 8= 1.77602e-008  A10=-1.83767e-010  A12= 7.21553e-013  
第21面
K =-7.18856e-001  A 4=-4.15424e-005  A 6=-3.13278e-007  A 8= 1.15458e-008  A10=-2.82199e-010  A12= 2.71965e-012  
第25面
K = 1.00003e+000  A 4= 4.32466e-006  A 6= 1.01322e-006  A 8=-5.85839e-007  A10= 4.77749e-008  A12=-1.45650e-009  
第27面
K = 0.00000e+000  A 4= 1.47511e-003  A 6=-1.68990e-005  A 8= 6.09181e-007  
各種データ
ズーム比     38.50 
広角     中間     望遠
焦点距離       4.50    52.35   173.30  
Fナンバー      1.60     3.80     5.20  
半画角（度）   36.2     3.79     1.07  
像高           3.20     3.20     3.20  
レンズ全長   129.57   129.57   129.57  
BF             4.47   4.47     4.47  
d 8            0.70    38.34    47.75  
d15           53.01    15.37     5.96  
d18            3.56     6.38    10.91  
d20           15.70     2.04     7.96  
d23            8.64    10.09     1.00  
d25            2.08    11.46    10.09  
レンズ群データ
群  始面    焦点距離  
1    1      63.07  
2    9      -9.97  
3   16      22.09  
4   19     -26.11  
5   21      18.03  
6   24     -17.65  
7   26      16.45  
ズーム軌跡データ
B41=15.3828 B42=-62.9295 B43=144.1545 
B44=-153.1555 B45=45.2281 B46=18.6793
B61=-38.7593 B62=73.0649 B63=-103.8985 B64=56.1375 B65=14.3168 
B66=-56.4231 B67=132.8078 B68=11.6954 B69=-157.7514 B610=60.7977
（数値実施例２）
単位  ｍｍ
面データ
面番号       r        d      nd         vd
1         87.044    1.55   1.80400    46.5           
2         36.672    6.92   1.49700    81.5           
3        817.941    0.20                             
4         97.926    5.45   1.49700    81.5           
5        -77.724    1.33   1.69680    55.5           
6          ∞       0.10                             
7         39.606    5.56   1.49700    81.5           
8       -505.418  (可変)                             
9         72.999    0.71   1.83481    42.7           
10          8.504    3.40                             
11        404.480    0.53   1.77250    49.6           
12         13.778    3.15                             
13        -15.499    0.51   1.69680    55.5           
14       -276.818    0.10                             
15         31.737    2.88   1.85478    24.8           
16        -26.275  (可変)                             
17          ∞       0.00                             
18(絞り)    ∞     (可変)                             
19         14.441    5.14   1.49700    81.5           
20        105.509    3.11                             
21*        15.764    4.50   1.58313    59.4           
22*       -86.935    0.55                             
23        -47.897    0.60   1.74951    35.3           
24         11.108    3.93   1.49700    81.5           
25        -44.961  (可変)                             
26         20.488    3.16   1.49700    81.5           
27        -12.610    0.50   1.69680    55.5           
28        -38.098  (可変)                             
29       -140.306    1.57   1.95906    17.5           
30        -16.787    0.50   1.83481    42.7           
31          8.404  (可変)                             
32         13.235    4.17   1.60311    60.6           
33         -7.665    0.50   1.84666    23.8           
34        -12.653    1.50                             
35          ∞       0.80   1.51500    70.0           
36          ∞      3.38                            
像面        ∞   
非球面データ
第21面
K = 5.81215e-001  A 4=-2.56847e-005  A 6=-3.97306e-007  A 8= 4.95147e-009  A10= 2.39812e-011  
第22面
K = 0.00000e+000  A 4= 9.21408e-005  A 6=-9.12258e-007  A 8= 2.78140e-008  A10=-1.28331e-010  
各種データ
ズーム比     39.10 
広角     中間     望遠
焦点距離       4.42    47.59   172.64  
Fナンバー      1.65     3.20     4.94  
半画角（度）  36.2      3.79     1.07  
像高           3.20     3.20     3.20  
レンズ全長   129.68   129.68   129.68  
BF             5.41     5.41     5.41  
d 8            0.65    38.37    46.65  
d16           47.80    10.08     1.80  
d18            8.16     2.56     1.40  
d25            0.60     0.33     0.46  
d28            1.78     7.35     1.50  
d31            4.39     4.70    11.57  
レンズ群データ
群  始面    焦点距離  
1    1      63.02  
2    9      -8.96  
3   17       ∞    
4   19      21.46  
5   26      37.70  
6   29     -10.08  
7   32      13.12  
ズーム軌跡データ
B41=-45.2975 B42=127.307 B43=-249.8951 B44=452.9196 B45=-555.4795 
B46=261.6228 B47=84.2931 B48=-230.2443 B49=366.7707 B410=-218.7572   
B51=-34.0636 B52=111.3409 B53=-280.5657 B54=395.7194 B55=40.7277 
B56=-890.5878 B57=1091.8866 B58=-877.2889 B59=856.531 B510=-420.6029
（数値実施例３）
単位  ｍｍ
面データ
面番号       r        d      nd         vd
1       6378.951    1.50   1.77250    49.6           
2         52.010    6.18   1.43875    94.7           
3       -251.454    0.15                             
4         57.987    4.49   1.43875    94.7           
5       -888.827    0.15                             
6         83.270    2.72   1.49700    81.5           
7        879.307    0.15                             
8         68.122    2.26   1.49700    81.5           
9        172.003  (可変)                             
10       -685.683    0.60   2.00100    29.1           
11         11.778    5.66                             
12        -18.554    0.50   1.91082    35.3           
13        -67.002    3.58   1.95906    17.5           
14        -15.314    0.81                             
15*       -20.293    0.50   1.85135    40.1           
16        -48.965  (可変)                             
17(絞り)    ∞       0.50                             
18*        13.176    6.14   1.61881    63.9           
19*       -90.285  (可変)                             
20         21.940    0.70   1.95375    32.3           
21         11.069  (可変)                             
22*        13.142    4.54   1.49710    81.6           
23        -13.712    0.70   2.00069    25.5           
24        -19.040  (可変)                             
25       -668.508    0.50   1.82080    42.7           
26*         9.993  (可変)                             
27*       -26.950    1.60   1.53110    55.9           
28         -6.073    0.67                             
29          ∞       0.80   1.51633    64.1           
30          ∞     3.30                             
像面        ∞   
非球面データ
第15面
K =-6.00362e+000  A 4=-7.70911e-005  A 6= 4.97190e-007  A 8=-4.46748e-009  A10= 3.91718e-011  
第18面
K =-1.80133e-001  A 4=-2.43183e-005  A 6=-1.50341e-007  A 8= 9.50217e-010  A10=-8.10974e-012  A12=-2.93505e-014  
第19面
K =-2.11917e+002  A 4=-6.99216e-006  A 6= 1.39784e-007  A 8= 9.41579e-010  A10=-2.95461e-011  A12= 1.23098e-013  
第22面
K =-3.59743e-001  A 4=-2.14802e-005  A 6=-3.25018e-007  A 8= 5.25552e-009  A10=-4.72182e-011  A12= 9.90734e-014  
第26面
K = 5.26272e+000  A 4=-5.68854e-004  A 6=-7.09256e-006  A 8=-4.71978e-006  A10= 4.23128e-007  A12=-2.48105e-008  
第27面
K = 0.00000e+000  A 4=-1.38855e-003  
各種データ
ズーム比     45.00 
広角     中間     望遠
焦点距離       4.23    50.48   190.19  
Fナンバー      1.60     3.80     5.20  
半画角（度）  38.1      3.36     0.89  
像高           3.20     3.20     3.20  
レンズ全長   130.00   130.00   130.00  
BF             4.49    4.49    4.49
d 9            1.06    47.14    58.66  
d16           63.12    12.56     1.00  
d19            1.54     2.31     4.70  
d21            6.16     2.53    14.20  
d24            7.70    12.90     1.00  
d26            1.73     3.86     1.73  
レンズ群データ
群  始面    焦点距離  
1    1      72.75  
2   10     -10.92  
3   17      19.01  
4   20     -24.18  
5   22      19.33  
6   25     -11.99  
7   27      14.38  
ズーム軌跡データ
B31=-4.4405 B32=-1.7135 B33=0.9893 
B34=-39.0032 B35=80.1558 B36=-40.4991
B41=3.6799 B42=-27.7952 B43=32.1447 
B44=-51.2537 B45=71.8712 B46=-29.9972
B61=-41.045 B62=81.4093 B63=-28.9859 
B64=-67.377 B65=97.1261 B66=-41.1278    
（数値実施例４）
単位  ｍｍ
面データ
面番号       r        d      nd         vd
1        153.363    1.50   1.80400    46.5           
2         44.040    6.41   1.49700    81.6           
3       -265.691    0.15                             
4         73.203    1.25   1.69680    55.5           
5         40.749    3.97   1.49700    81.6           
6        295.334    0.15                             
7         38.446    4.59   1.49700    81.6           
8      -3321.585  (可変)                             
9        -65.589    0.60   2.00100    29.1           
10         12.363    4.69                             
11        -16.717    0.50   1.88100    40.1           
12        -40.735    3.32   1.95906    17.5           
13        -13.286    0.50                             
14*       -20.668    0.50   1.85135    40.1           
15       -105.959  (可変)                             
16(絞り)    ∞       1.00                             
17*        14.117    5.62   1.61881    63.9           
18*       -51.205  (可変)                             
19         33.835    0.70   1.95375    32.3           
20         12.399  (可変)                             
21*        11.764    4.37   1.49710    81.6           
22        -13.219    0.70   2.00069    25.5           
23        -17.603  (可変)                             
24        263.909    0.50   1.82080    42.7           
25*        13.927  (可変)                             
26        -14.821    1.36   1.53110    55.9           
27*        -6.071    0.67                             
28          ∞       0.80   1.51633    64.1           
29          ∞      3.29                             
像面        ∞   
非球面データ
第14面
K =-1.74427e+000  A 4=-1.74000e-005  A 6= 3.38382e-007  A 8=-1.20814e-008  A10= 1.33727e-010  
第17面
K =-1.56879e-001  A 4=-3.16522e-005  A 6=-4.75486e-007  A 8= 1.44912e-009  A10= 2.27402e-011  A12=-4.19535e-013  
第18面
K = 6.08604e+000  A 4= 2.02176e-005  A 6=-8.11587e-007  A 8= 1.44777e-008  A10=-1.37555e-010  A12= 3.51563e-013  
第21面
K =-5.97589e-001  A 4=-4.80112e-005  A 6=-5.88238e-007  A 8= 2.41253e-008  A10=-6.39426e-010  A12= 6.99695e-012  
第25面
K =-3.79812e-001  A 4= 1.37000e-004  A 6=-4.42390e-006  A 8= 3.96804e-007  A10=-2.03834e-008  A12= 2.45593e-010  
第27面
K = 0.00000e+000  A 4= 1.45537e-003  A 6=-1.01966e-005  A 8= 4.95915e-007  
各種データ
ズーム比     38.50 
広角     中間     望遠
焦点距離       4.43    47.98   170.67  
Fナンバー      1.60     3.80     5.20  
半画角（度）  37.5      3.53     0.98  
像高           3.20     3.20     3.20  
レンズ全長   120.00   120.00   120.00  
BF             4.48     4.48     4.48  
d 8            0.70    38.14    47.51  
d15           48.44    11.00     1.63  
d18            2.71     4.07     6.59  
d20           11.49     2.61    14.12  
d23            7.81    11.97     1.00  
d25            1.70     5.06     2.00  
レンズ群データ
群  始面    焦点距離  
1    1      62.39  
2    9      -9.39  
3   16      18.49  
4   19     -20.85  
5   21      17.09  
6   24     -17.93  
7   26      18.37  
ズーム軌跡データ
B41=10.1934 B42=-44.6796 B43=120.7353 
B44=-154.5859 B45=66.7157 B46=5.5037
B61=-17.6213 B62=-32.1241 B63=78.2779 
B64=-45.6835 B65=84.184 B66=-67.3328    
（数値実施例５）
単位  ｍｍ
面データ
面番号       r        d      nd         vd
1        322.187    1.50   1.77250    49.6           
2         42.038    6.90   1.49700    81.5           
3       -285.380    0.15                             
4        230.631    3.53   1.49700    81.5           
5        -84.532    1.25   1.69680    55.5           
6      -2147.795    0.15                             
7         98.483    2.31   1.49700    81.5           
8      -2669.401    0.15                             
9         44.643    4.59   1.49700    81.5           
10       -400.190  (可変)                             
11       -172.534    0.60   1.91082    35.3           
12          9.900    5.04                             
13        -16.552    0.50   1.85150    40.8           
14         26.171    6.09   1.85478    24.8           
15        -13.563    0.15                             
16*       -18.111    0.50   1.85135    40.1           
17        -46.536  (可変)                             
18(絞り)    ∞       0.50                             
19*        15.989    3.74   1.61881    63.9           
20*         ∞     (可変)                             
21         37.449    0.70   2.00100    29.1           
22         20.418  (可変)                             
23*        14.314    6.16   1.49710    81.6           
24        -11.209    0.70   2.00100    29.1           
25        -16.095  (可変)                             
26         35.354    0.50   1.82080    42.7           
27*        11.558  (可変)                             
28        -15.031    1.69   1.53110    55.9           
29*        -5.916    0.67                             
30          ∞       0.80   1.51633    64.1           
31          ∞      3.30                            
像面        ∞   
非球面データ
第16面
K =-2.21932e-001  A 4= 7.96679e-008  A 6= 5.00899e-007  A 8=-1.00273e-008  A10= 8.58812e-011  
第19面
K = 1.09773e+000  A 4=-7.21817e-005  A 6=-4.02238e-007  A 8= 2.27832e-009  A10=-4.56724e-011  A12= 1.21014e-013  
第20面
K = 0.00000e+000  A 4=-2.31055e-005  A 6=-1.46406e-007  A 8= 7.40237e-009  A10=-1.04526e-010  A12= 6.31908e-013  
第23面
K =-1.45431e+000  A 4=-1.71568e-005  A 6=-3.97033e-007  A 8= 1.89998e-008  A10=-4.52871e-010  A12= 4.67027e-012  
第27面
K = 1.41939e+000  A 4=-5.74407e-005  A 6= 5.63401e-006  A 8=-1.00957e-006  A10= 6.42580e-008  A12=-1.53975e-009  
第29面
K = 0.00000e+000  A 4= 1.32196e-003  A 6=-1.37652e-005  A 8= 6.28554e-007  
各種データ
ズーム比     42.00 
広角     中間     望遠
焦点距離       4.05    43.72   170.00  
Fナンバー      1.60     3.80     5.20  
半画角（度）  40.0      3.95     1.02  
像高           3.20     3.20     3.20  
レンズ全長   140.00   140.00   140.00  
BF            4.49    4.49      4.49
d10            0.70    40.62    50.60  
d17           53.22    13.30     3.32  
d20            1.00     6.06    10.71  
d22           22.82     6.99     6.81  
d25            7.83     8.54     1.00  
d27            2.27    12.33    15.41  
レンズ群データ
群  始面    焦点距離  
1    1      64.14  
2   11      -9.89  
3   18      25.84  
4   21     -45.79  
5   23      20.17  
6   26     -21.12  
7   28      17.26  
ズーム軌跡データ
B41=35.6457 B42=-84.2873 B43=109.8969 
B44=-78.0583 B45=-11.4756 B46=37.9868 
B61=-66.5165 B62=95.7769 B63=-92.4075 B64=197.3611 B65=-278.4582 
B66=190.4987 B67=22.8005 B68=4.3698 B69=-245.2554 B610=158.6922
（数値実施例６）
単位  ｍｍ
面データ
面番号       r        d      nd         vd
1       -422.675    1.50   1.75500    52.3           
2         46.929    5.35   1.43875    94.7           
3       -157.325    0.15                             
4         53.183    4.06   1.43875    94.7           
5       -556.403    0.15                             
6         90.475    1.93   1.49700    81.5           
7        369.727    0.15                             
8         66.861    2.63   1.49700    81.5           
9        508.390  (可変)                             
10        -96.644    0.60   2.00100    29.1           
11         11.679    4.52                             
12        -20.579    0.50   1.91082    35.3           
13         27.046    6.09   1.96300    24.1           
14        -15.183    0.15                             
15*       -27.966    0.50   1.85135    40.1           
16       1190.867  (可変)                             
17(絞り)    ∞       1.00                             
18*        14.931    6.11   1.61881    63.9           
19*       -67.276  (可変)                             
20         34.460    0.70   1.95375    32.3           
21         13.285  (可変)                             
22*        11.503    5.04   1.49710    81.6           
23        -11.211    0.70   2.00069    25.5           
24        -15.252  (可変)                             
25       -951.385    0.50   1.82080    42.7           
26*        11.460  (可変)                             
27*       -16.077    1.50   1.53110    55.9           
28         -6.528    0.66                             
29          ∞       0.80   1.51633    64.1           
30          ∞       3.26                             
像面        ∞   
非球面データ
第15面
K =-1.75172e+001  A 4=-9.98944e-005  A 6= 1.04317e-006  A 8=-1.14636e-008  A10= 8.13498e-011  
第18面
K =-2.63607e-001  A 4=-1.49032e-005  A 6=-2.98459e-007  A 8= 1.57868e-009  A10= 3.37882e-012  A12=-1.42972e-013  
第19面
K = 3.36428e+001  A 4= 3.43992e-005  A 6=-6.33319e-007  A 8= 1.22749e-008  A10=-1.10772e-010  A12= 3.59241e-013  
第22面
K =-4.40141e-001  A 4=-5.78878e-005  A 6=-1.37493e-006  A 8= 4.30944e-008  A10=-9.75740e-010  A12= 9.02113e-012  
第26面
K = 6.03496e+000  A 4=-3.37770e-004  A 6= 2.06232e-007  A 8=-3.65601e-006  A10= 2.93644e-007  A12=-1.29759e-008  
第27面
K = 0.00000e+000  A 4=-8.83192e-004  
各種データ
ズーム比     38.50 
広角     中間     望遠
焦点距離       4.42    49.08   170.14  
Fナンバー      1.60     3.80     5.20  
半画角（度）   38.7     3.57     1.02  
像高           3.20     3.20     3.20  
レンズ全長   130.00   130.00   130.00  
BF             4.45    4.45    4.45 
d 9            0.70    44.70    55.71  
d16           56.71    12.70     1.70  
d19            3.54     5.90    10.30  
d21           12.03     1.96    11.04  
d24            6.77     9.24     1.00  
d26            1.70     6.94     1.70  
レンズ群データ
群  始面    焦点距離  
1    1      68.87  
2   10     -10.66  
3   17      20.32  
4   20     -23.04  
5   22      16.45  
6   25     -13.79  
7   27      19.63  
ズーム軌跡データ
B41=18.2682 B42=-55.7695 B43=95.0767 
B44=-104.126 B45=52.3977 B46=0.9083 
B61=-42.5485 B62=67.028 B63=-20.5297 
B64=-53.3001 B65=80.9524 B66=-31.6021   
（数値実施例７）
単位  ｍｍ
面データ
面番号       r        d      nd         vd
1         97.575    1.50   1.80400    46.5           
2         43.324    8.34   1.43875    94.7           
3       -270.559    0.15                             
4        169.187    4.64   1.43875    94.7           
5        -70.646    1.25   1.69680    55.5           
6       -251.472    0.15                             
7         43.366    4.78   1.49700    81.5           
8       -420.232  (可変)                             
9        -78.439    0.60   2.00100    29.1           
10         12.444    4.72                             
11        -16.348    0.50   1.91082    35.3           
12        491.796    3.95   1.95906    17.5           
13        -14.325    0.15                             
14*       -30.531    0.50   1.85135    40.1           
15        108.610  (可変)                             
16(絞り)    ∞       0.50                             
17*        17.514    3.81   1.61881    63.9           
18*       -87.687  (可変)                             
19         37.056    0.70   2.00100    29.1           
20         15.491  (可変)                             
21*        13.698    4.69   1.49710    81.6           
22        -16.371    0.70   2.00100    29.1           
23        -21.870  (可変)                             
24         77.784    0.50   1.82080    42.7           
25*        11.528  (可変)                             
26         67.235    2.37   1.53110    55.9           
27*        -7.132    0.67                             
28          ∞       0.80   1.51633    64.1           
29          ∞     3.30                            
像面        ∞   
非球面データ
第14面
K = 1.52484e+000  A 4= 1.12385e-005  A 6= 1.57118e-007  A 8=-5.52513e-009  A10= 5.25293e-011  
第17面
K = 5.20371e-001  A 4=-2.14326e-005  A 6=-6.09708e-007  A 8= 3.85409e-009  A10= 9.61034e-011  A12=-1.04085e-012  
第18面
K =-1.98997e+001  A 4= 1.35023e-005  A 6=-8.00131e-007  A 8= 1.16920e-008  A10= 4.01490e-011  A12=-1.08039e-012  
第21面
K =-4.57676e-001  A 4=-3.91231e-005  A 6=-2.94622e-007  A 8= 3.91944e-009  A10=-3.94012e-011  A12= 1.39346e-013  
第25面
K = 6.87944e-001  A 4= 4.03532e-005  A 6=-6.95302e-006  A 8= 6.42026e-007  A10=-3.16127e-008  A12= 4.66273e-010  
第27面
K = 0.00000e+000  A 4= 1.32939e-003  A 6=-1.88148e-005  A 8= 3.63400e-007  
各種データ
ズーム比     70.00 
広角     中間     望遠
焦点距離       3.93    64.65   275.16  
Fナンバー      2.00     5.60     8.00  
半画角（度）  40.9      2.60     0.60  
像高           3.20     3.20     3.20  
レンズ全長   151.09   151.09   151.09  
BF             4.49     4.49     4.49  
d 8            0.70    39.64    49.38  
d15           55.13    16.19     6.45  
d18            5.36     9.04    16.67  
d20           27.57     3.79    15.92  
d23           11.36    16.61     1.00  
d25            1.70    16.56    12.40  
レンズ群データ
群  始面    焦点距離  
1    1      64.42  
2    9      -8.56  
3   16      23.92  
4   19     -27.03  
5   21      20.23  
6   24     -16.55  
7   26      12.28  
ズーム軌跡データ
B41=19.223 B42=-63.9456 B43=143.963 
B44=-161.9712 B45=37.3846 B46=36.6528 
B61=-50.7275 B62=82.4843 B63=-102.5533 B64=22.5162 B65=24.6001 
B66=-39.7583 B67=147.2659 B68=26.6225 B69=-140.163 B610=19.0119
（数値実施例８）
単位  ｍｍ
面データ
面番号       r        d      nd         vd
1         94.551    1.62   1.80400    46.5           
2         37.687    7.54   1.49700    81.5           
3        705.249    0.20                             
4         82.897    6.14   1.49700    81.5           
5        -78.658    1.37   1.69680    55.5           
6          ∞       0.10                             
7         40.291    5.48   1.49700    81.5           
8       -525.977  (可変)                             
9         58.833    0.69   1.83481    42.7           
10          8.334    3.41                             
11      -1062.500    0.52   1.77250    49.6           
12         13.075    3.21                             
13        -14.617    0.50   1.69680    55.5           
14       -128.536    0.10                             
15         34.210    2.87   1.85478    24.8           
16        -24.396  (可変)                             
17         43.434    4.96   1.49700    81.5           
18        -17.057    0.60   1.69680    55.5           
19        -44.084    0.50                             
20          ∞       0.00                             
21(絞り)    ∞     (可変)                             
22         13.444    4.82   1.49700    81.5           
23         34.673    0.26                             
24*        20.599    4.84   1.58313    59.4           
25*       -31.886    0.60                             
26        -57.038    0.60   1.74951    35.3           
27         12.249    3.39   1.49700    81.5           
28        -40.721    0.20                             
29       -122.365    3.62   1.49700    81.5           
30         -7.534    0.50   1.69680    55.5           
31        -24.633  (可変)                             
32        -40.135    1.14   1.95906    17.5           
33        -13.708    0.50   1.83481    42.7           
34         11.063  (可変)                             
35         10.630    4.05   1.60311    60.6           
36         -9.090    0.50   1.84666    23.8           
37        -17.329    1.50                             
38          ∞       0.80   1.51500    70.0           
39          ∞     3.38                             
像面        ∞   
非球面データ
第24面
K = 2.12553e-001  A 4= 4.71462e-006  A 6= 3.51123e-007  A 8=-3.12901e-009  A10= 3.73578e-011  
第25面
K = 0.00000e+000  A 4= 1.13965e-004  A 6= 1.49256e-008  A 8=-9.61766e-009  A10= 9.71070e-011  
各種データ
ズーム比     39.10 
広角     中間     望遠
焦点距離       4.55    51.34   178.03  
Fナンバー      1.65     3.20     4.94  
半画角（度）  35.4      3.56     1.05  
像高           3.20     3.20     3.20  
レンズ全長   133.12   133.12   133.12  
BF             5.40     5.40     5.40  
d 8            0.65    38.37    46.65  
d16           47.80    10.08     1.80  
d21           10.26     2.22     2.39  
d31            1.84     8.48     0.30  
d34            2.10     3.49    11.50  
レンズ群データ
群  始面    焦点距離  
1    1      62.68  
2    9      -8.74  
3   17      65.02  
4   22      22.30  
5   32     -10.93  
6   35      13.30  
ズーム軌跡データ
B41=-28.9495 B42=-13.556 B43=178.2486 B44=-267.433 B45=52.9397 
B46=145.774 B47=-26.0656 B48=54.5484 B49=-229.9484 B410=126.5757
（数値実施例９）
単位  ｍｍ
面データ
面番号       r        d      nd         vd
1        142.206    1.50   1.83400    37.2           
2         57.154    4.30   1.48749    70.2           
3       -434.246    0.15                             
4        241.469    2.62   1.48749    70.2           
5       -129.459    1.25   1.80000    29.8           
6       -456.604    0.15                             
7         54.477    3.02   1.69680    55.5           
8        409.199  (可変)                             
9       -129.346    0.60   2.00100    29.1           
10         13.696    5.51                             
11        -15.094    0.50   1.91082    35.3           
12       -716.652    4.57   1.92286    18.9           
13        -15.116    0.52                             
14*       -19.963    0.50   1.85135    40.1           
15        -41.157  (可変)                             
16(絞り)    ∞       0.50                             
17*        13.365    5.18   1.61881    63.9           
18*      -188.868  (可変)                             
19         27.478    0.70   2.00100    29.1           
20         14.226  (可変)                             
21*        13.003    4.23   1.49710    81.6           
22        -13.935    0.70   2.00100    29.1           
23        -18.502  (可変)                             
24         44.031    0.50   1.82080    42.7           
25*        10.366  (可変)                             
26         64.155    1.62   1.53110    55.9           
27*       -18.071    0.67                             
28          ∞       0.80   1.51633    64.1           
29          ∞     3.29                             
像面        ∞   
非球面データ
第14面
K =-8.41939e+000  A 4=-1.25082e-004  A 6= 9.60415e-007  A 8=-7.39534e-009  A10= 2.68057e-011  
第17面
K = 3.25812e-001  A 4=-4.05611e-005  A 6=-6.90017e-007  A 8= 3.51883e-009  A10=-1.62418e-011  A12=-1.32957e-013  
第18面
K =-1.22058e+003  A 4= 7.54439e-006  A 6=-7.74394e-007  A 8= 1.66246e-008  A10=-1.55754e-010  A12= 5.86124e-013  
第21面
K =-6.70793e-001  A 4=-5.29949e-005  A 6=-1.40125e-006  A 8= 5.20571e-008  A10=-1.23449e-009  A12= 1.11866e-011  
第25面
K = 1.32944e+000  A 4=-1.12160e-004  A 6= 1.39468e-005  A 8=-1.83278e-006  A10= 9.43187e-008  A12=-1.83677e-009  
第27面
K = 0.00000e+000  A 4=-1.10572e-004  A 6= 4.24796e-006  A 8=-2.39266e-007  
各種データ
ズーム比     38.50 
広角     中間     望遠
焦点距離       4.42    53.27   170.00  
Fナンバー      1.60     3.80     5.20  
半画角（度）  41.7      3.42     1.07  
像高           3.20     3.20     3.20  
レンズ全長   130.00   130.00   130.00  
BF             4.49     4.49     4.49  
d 8            0.70    46.82    58.34  
d15           58.65    12.53     1.00  
d18            1.00     2.67     5.26  
d20           17.99     3.40     6.22  
d23            6.58     8.25     4.02  
d25            1.70    12.94    11.77  
レンズ群データ
群  始面    焦点距離  
1    1      75.07  
2    9     -10.61  
3   16      20.37  
4   19     -30.27  
5   21      18.48  
6   24     -16.63  
7   26      26.73  
ズーム軌跡データ
B41=18.1599 B42=-61.3797 B43=134.206 
B44=-151.1273 B45=41.7034 B46=22.6971 
B61=-58.451 B62=87.9398 B63=-90.5556 B64=41.0952 B65=69.95 
B66=-128.6733 B67=165.9398 B68=-21.0821 B69=-130.2882 B610=54.059
前述の各条件式と各数値実施例との関係を表１に示す。
【０１１３】
【表１】
2020134735.tif 000003
【符号の説明】
【０１１４】
Ｌ０  ズームレンズ    Ｌ１  第１レンズ群    Ｌ２  第２レンズ群    ＬＲ  後群
【図１】
2020134735.tif 000004
【図２】
2020134735.tif 000005
【図３】
2020134735.tif 000006
【図４】
2020134735.tif 000007
【図５】
2020134735.tif 000008
【図６】
2020134735.tif 000009
【図７】
2020134735.tif 000010
【図８】
2020134735.tif 000011
【図９】
2020134735.tif 000012
【図１０】
2020134735.tif 000013
【図１１】
2020134735.tif 000014
【図１２】
2020134735.tif 000015
【図１３】
2020134735.tif 000016
【図１４】
2020134735.tif 000017
【図１５】
2020134735.tif 000018
【図１６】
2020134735.tif 000019
【図１７】
2020134735.tif 000020
【図１８】
2020134735.tif 000021
【図１９】
2020134735.tif 000022